(57)【要約】【課題】同一アンサンブル内のサービスを順送りキー等によって順にサーチする時、シーク時間を短くし、処理負担を軽減することができる「デジタル放送受信機」とする。【解決手段】同一アンサンブル内のサービス毎のプロテクションレベルを示すコードレートを記憶し、受信処理を行うか否かの判断を行う時に基準となるプロテクションレベルを示す受信不能レベルを更新して記憶しておき、同一アンサンブル内で受信するサービスを順送り指示するとき、受信不能レベル記憶部に記憶されている受信レベルと、順送り指示部で指示したサービスの受信レベルを比較し、受信不能レベルより高い受信レベルのサービスのみを受信処理する。受信不能レベル記憶部の記憶レベルより１ランク上のレベルを受信した時は、以降はそのレベル以上のみを受信する。最下位レベルの受信検出時には以降は全てを受信し、最下位レベルの受信不能検出時には、以降は全て受信しない。【選択図】図１
2010166455.tif 000002
【特許請求の範囲】
【請求項１】
同一アンサンブル内のサービス毎のプロテクションレベルを示すコードレートを記憶するアンサンブル内サービス毎コードレート記憶部と、
同一アンサンブル内で受信するサービスを順送り指示する受信サービス順送り指示部と、
受信処理を行うか否かの判断を行う時に基準となるプロテクションレベルを示すコードレートを、更新して記憶する受信判断用コードレート記憶部と、
前記受信判断用コードレート値記憶部に記憶されているコードレート値と、前記順送り指示部で指示したサービスについて、前記アンサンブル内サービス毎コードレート記憶部に記憶しているコードレートとを比較するコードレート比較部とを備え、
順に指示されるサービスについて、前記アンサンブル内サービス毎コードレート記憶部のデータと、前記コードレート比較部での比較結果により、指示されたサービスの受信処理を行うか否かを判別する受信可非判別部とを備えたことを特徴とするデジタル放送受信機。
【請求項２】
前記受信判断用コードレート記憶部には、受信できなかった時のプロテクションレベルを記憶する受信不能レベル記憶部を備え、
前記受信不能レベル記憶部では、受信処理して最もプロテクションレベルの高いサービスが受信できなかった時の当該サービスのプロテクションレベルを更新して記憶することを特徴とする請求項１記載のデジタル放送受信機。
【請求項３】
前記受信不能レベル記憶部に記憶したプロテクションレベルより１ランク上のレベルを受信した時は、以降はそのレベル以上のプロテクションレベルのサービスのみを受信することを特徴とする請求項２記載のデジタル放送受信機。
【請求項４】
前記受信可非判別部では、最下位のプロテクションレベルの受信が可能であることを検出した時には、以降は全てのサービスの受信処理を行うことを特徴とする請求項１記載のデジタル放送受信機。
【請求項５】
前記受信可非判別部では、最上位のプロテクションレベルを備えたサービスの受信指示がある時、必ず当該サービスの受信処理を行うことを特徴とする請求項１記載のデジタル放送受信機。
【請求項６】
前記受信可非判別部では、最上位のプロテクションレベルより１ランク下のレベルの受信不能検出時には、以降は最上位プロテクションレベルを備えたサービスのみを受信することを特徴とする請求項１記載のデジタル放送受信機。
【請求項７】
前記受信可非判別部では、最下位のプロテクションレベルのサービスの受信が不能であることを検出した時には、以降は当該アンサンブル内の全てのサービスの受信を行わないことを特徴とする請求項１記載のデジタル放送受信機。
【発明の詳細な説明】
【技術分野】
【０００１】
本発明はデジタルオーディオ放送（ＤＡＢ）で受信される１つのアンサンブルに含まれる多数のサービスを、効率よく選択して聴くことができるようにしたデジタル放送受信機に関する。
【背景技術】
【０００２】
例えば車両にはオーディオ装置を備え、特に運転者は車両の前方に注意を払っている状態で、快適な環境とするためには、オーディオ装置は欠くことができないものとなっている。車載オーディオ装置は、放送受信機、ＣＤ、ＤＶＤ等の種々のオーディオ機器が存在するが、料金の面や新曲をいち早く聴くことができる等の面から、放送受信機が最も手軽に楽しめるオーディオ機器ということができる。
【０００３】
このような放送受信機において、特に近年の放送技術の進歩によりデジタルオーディオ放送［ＤＡＢ(Digital Audio Broadcasting）］が普及している。このデジタルオーディオ放送は、従来のＦＭ放送と比べて高音質のオーディオ伝送が可能であるだけでなく、データ伝送や、単一周波数（ＳＦＮ：Single Frequency Network）による伝送が可能である。また、移動体受信時におけるフェージングの影響も少ないため、車両用の放送受信機として適している。
【０００４】
このデジタルオーディオ放送は、所定の番組の音声信号データを周波数多重で挿入した複数のデータフィールドと、番組とデータフィールドの対応を示す番組配列データが挿入される情報フィールドとを含んで放送される。デジタル放送受信機では、周波数多重放送受信機を用いてこの多重放送信号を受信し、別途ユーザにより指定された番組に応じたデータフィールドに挿入された周波数多重信号を復調し、オーディオ信号に変換して出力するものである。
【０００５】
このときのＤＡＢの信号は、ＯＦＤＭ（Orthogonal Frequency Division Multiplex）変調されたマルチキャリア信号であり、各キャリアは、π／４シフトＤＱＰＳＫ（Differential Quadrature Phase Shift Keying）変調される。キャリア数とキャリア間隔は、モードＩ〜IVの各モードによって異なるが、モードＩを例にとると、キャリア数が１５３６、キャリア間隔が１ｋＨｚである。いずれのモードでも、一信号の帯域幅は１．５３６ＭＨｚである。バンドとしては現在、ＢＡＮＤ３（１７０〜２４０ＭＨｚ）とＬ−ＢＡＮＤ（１．４５〜１．４９ＧＨｚ）の２つのバンド等が用いられている。ベースバンド信号は、モードによって９６ｍ秒、２４ｍ秒または４８ｍ秒のフレームに分割され、各フレームは、同期用のチャネル、番組構成やデコードなどの情報が挿入されたＦＩＣ（Fast Information Channel）、および実際のオーディオ情報やデータが挿入されたＭＳＣ（Main Service Channel）からなる。
【０００６】
ＤＡＢでは、上記のように一つのチャネルで約１．５ＭＨｚの帯域を用い、これをアンサンブルと称し、各アンサンブルは、幾つかのサービスから構成される。したがってＤＡＢでは、ある一つの周波数を選択すると、その中から幾つかのサービスを選択することができる。このような信号の構成を図５（ａ）に示している。同図（ａ）のメインサービスチャネル（ＭＳＣ）内の各サービスは一つ以上のコンポーネント（サービスコンポーネント）から構成され、同一のサービス内でプライマリーコンポーネント（プライマリーサービスコンポーネント）とセカンダリーコンポーネント（セカンダリーサービスコンポーネント）を放送することができる。
【０００７】
プライマリーコンポーネントは、サービスの主体で、あるサービス識別子及びサービス名のもとでサービスを放送するとき、必ず放送するものである。セカンダリーコンポーネントは、プライマリーコンポーネントを放送するとき、一つまたは複数放送することができるものであり、各コンポーネントにはコンポーネント識別子およびコンポーネント名が付加され、それにより容易に各コンポーネントの識別ができ、検索が可能となっている。このようにＤＡＢの規格では、「アンサンブル」「サービス」「コンポーネント」について定義付けされており、以降はこれらの名称について、前記の意味で用いている。
【０００８】
更に、ＤＡＢでは、そのサービスで、どのような内容の放送をしているかを、プログラムタイプとして伝送することができる。このプログラムタイプとしては、０番から６３番まで、６４のタイプを設定できるように規定され、１番は「Ｎｅｗｓ」、４番は「Ｓｐｏｒｔ」、６番は「Ｄｒａｍａ」・・・のように３１番目まで予め定義され、３２番から６３番までは、国毎に独自に決定できるように規定されている。したがってこのデータによっても各サービス及びコンポーネントのジャンルを含む各種識別ができ検索が可能となっている。
【０００９】
オーディオサービスに対しては、関連する種々の情報を付加することができ、例えば、アンサンブル、サービス、コンポーネントには、１６文字までのラベルを付加することができ、そのほかアーティスト名や曲名など、放送内容に応じて１２８文字までのダイナミックラベルを付加することができ、したがってこれらのデータを用いて放送内容の検索を行うことができる。更にＤＡＢでは、オーディオサービスと同様に、データサービスを伝送することができる。データサービスのデータとしては、静止画データ、天気図付きの天気予報、ＨＴＭＬ形式等の各種データが存在する。
【００１０】
このＤＡＢを受信するデジタル放送受信機では、番組リストによって番組を選択して受信する機能が備えられ、例えばある選択されたアンサンブルに含まれるサービスリスト上で、順送りキーとしてのアップダウンキーを上下操作する等によって、そのサービスリストからサービスが選択される。この状態で、アップダウンキー等を更に操作することによって、そのコンポーネントリストからコンポーネントが選択され、これを確定することによってそのコンポーネントが受信され、音声が出力されることもできる。
【００１１】
なお、デジタル放送受信機において、予め、受信可能な全ＤＡＢ信号の受信強度から受信可能なアンサンブル（放送局）を特定し、シーク動作を短縮することができるようにした技術は特開平１１−０５５２１３号公報（特許文献１）に開示されている。
【先行技術文献】
【特許文献】
【００１２】
【特許文献１】特開平１１−０５５２１３号公報
【発明の概要】
【発明が解決しようとする課題】
【００１３】
前記のようにデジタルオーディオ放送においては、１つの周波数帯域としてのアンサンブルで多数のサービスを放送し、各サービスにおいてそれぞれ複数の番組としてのコンポーネントを含んでいるので、デジタル放送受信機では種々のサービス、及びコンポーネントを受信することができ、各サービスのコンポーネントを受信する時でも、そのコンポーネントが含まれるアンサンブルを受信し、特定のコンポーネントを選択することとなる。
【００１４】
このような同一アンサンブル内のサービスについては、各サービス毎に誤り訂正能力（プロテクションレベル）を変えることができるため、個々のサービスの伝送品質は異なっている。プロテクションレベルは現在５段階有り、レベル１が最も誤り訂正能力が高く、伝送品質が良い。それに対してレベル５は最も誤り訂正能力が低く、伝送品質が悪い。この伝送品質は多くの場合この放送を送信する送局側の各番組に対する品質付与の重要度によることが多い。
【００１５】
上記のように伝送品質が異なる場合には、フレーム全体の受信品質レベルと個々のサービスの受信品質レベルが異なり、アンサンブルが受信できたからといって、正しく個々のサービスが受信できるとは限らない。そのため、サービスが本当に受信できるかは、サービスを受信し、その音声コンポーネントのビタビ復号結果を見なければわからない。そのため、サービス毎に復号してみないと本当にそのサービスが受信できるかわからなかった。これによりシーク時間が長くなるのが実情であり、また処理装置においても無駄な処理負担が増えていた。
【００１６】
即ち、例えば図５（ａ）に示すように、同一アンサンブル内において前記のような順送り受信を行う時、最初プロテクションレベルＰ＝３のサービスＡを受信し、以降順にシークを行うことにより、プロテクションレベルＰ＝４のサービスＢ、プロテクションレベルＰ＝２のサービスＣ、プロテクションレベルＰ＝３のサービスＤ、プロテクションレベルＰ＝５のサービスＥ、プロテクションレベルＰ＝１のサービスＦ、プロテクションレベルＰ＝４のサービスＧを全て順に受信処理し、各同一アンサンブル内のサービス受信では各々１００ｍｓかかるので、受信処理所要時間は合計６００ｍｓ（０．６ｍｓ）かかることとなる。
【００１７】
しかしながら、図５（ｂ）に示すように、もしも一番最初に受信するプロテクションレベルＰ＝３のサービスＡが受信できない時には、その後のサービスでプロテクションレベルＰ＝３のサービスＸが存在する時には、そのサービスＸも受信できないと見るのが相当である。ましてや、プロテクションレベルＰ＝４やプロテクションレベルＰ＝５のサービスは受信できない。したがって現在の受信機でプロテクションレベルＰ−２迄が受信できる時には、最終的には同図のように、サービスＣとサービスＦが受信できるのみである。なお、上記の例では現在主として用いられるＤＡＢにおけるプロテクションレベル設定が５段階であるのでその例を示しているが、これが更に多くのプロテクションレベルが設定されるようになっても同様である。
【００１８】
したがって本発明は、同一アンサンブル内で受信しようとする番組を、順送りキー等によって順にサーチする時、各番組が含まれるサービスが実際に受信できるか否かを予測し、できる限り無用なサービスの受信処理を行うことがないようにして、シーク時間が短く、また処理装置の処理負担を軽減することができるデジタル放送受信機を提供することを主たる目的とする。
【課題を解決するための手段】
【００１９】
本発明に係るデジタル放送受信機は、前記課題を解決するため、同一アンサンブル内のサービス毎のプロテクションレベルを示すコードレートを記憶するアンサンブル内サービス毎コードレート記憶部と、同一アンサンブル内で受信するービスを順送り指示する受信サービス順送り指示部と、受信処理を行うか否かの判断を行う時に基準となるプロテクションレベルを示すコードレートを、更新して記憶する受信判断用コードレート記憶部と、前記受信判断用コードレート値記憶部に記憶されているコードレート値と、前記順送り指示部で指示したサービスについて、前記アンサンブル内サービス毎コードレート記憶部に記憶しているコードレートとを比較するコードレート比較部とを備え、順に指示されるサービスについて、前記アンサンブル内サービス毎コードレート記憶部のデータと、前記コードレート比較部での比較結果により、指示されたサービスの受信処理を行うか否かを判別する受信可非判別部とを備えたことを特徴とする。
【００２０】
本発明に係る他のデジタル放送受信機は、前記デジタル放送受信機において、前記受信判断用コードレート記憶部には、受信できなかった時のプロテクションレベルを記憶する受信不能レベル記憶部を備え、前記受信不能レベル記憶部では、受信処理して最もプロテクションレベルの高いサービスが受信できなかった時の当該サービスのプロテクションレベルを更新して記憶することを特徴とする。
【００２１】
本発明に係る他のデジタル放送受信機は、前記デジタル放送受信機において、前記受信不能レベル記憶部に記憶したプロテクションレベルより１ランク上のレベルを受信した時は、以降はそのレベル以上のプロテクションレベルのサービスのみを受信することを特徴とする。
【００２２】
本発明に係る他のデジタル放送受信機は、前記デジタル放送受信機において、前記受信可非判別部では、最下位のプロテクションレベルの受信が可能であることを検出した時には、以降は全てのサービスの受信処理を行うことを特徴とする。
【００２３】
本発明に係る他のデジタル放送受信機は、前記デジタル放送受信機において、前記受信可非判別部では、最上位のプロテクションレベルを備えたサービスの受信指示がある時、必ず当該サービスの受信処理を行うことを特徴とする。
【００２４】
本発明に係る他のデジタル放送受信機は、前記デジタル放送受信機において、前記受信可非判別部では、最上位のプロテクションレベルより１ランク下のレベルの受信不能検出時には、以降は最上位プロテクションレベルを備えたサービスのみを受信することを特徴とする。
【００２５】
本発明に係る他のデジタル放送受信機は、前記デジタル放送受信機において、前記受信可非判別部では、最下位のプロテクションレベルのサービスの受信が不能であることを検出した時には、以降は当該アンサンブル内の全てのサービスの受信を行わないことを特徴とする。
【発明の効果】
【００２６】
本発明は上記のように構成したので、同一アンサンブル内で受信しようとする番組を、順送りキー等によって順にサーチする時、各番組が含まれるサービスが実際に受信できるか否かを予測し、できる限り無用なサービスの受信処理を行うことがないようにして、シーク時間が短く、また処理装置の処理負担を軽減することができるデジタル放送受信機とすることができる。
【図面の簡単な説明】
【００２７】
【図１】本発明の実施例の機能ブロック図、及び判別処理例を示す図である。
【図２】同実施例の作動フロー図である。
【図３】本発明の選局方式の実例を示す図である。
【図４】（ａ）はＤＡＢの１フレームの信号構成を示す図であり、（ｂ）は同信号におけるメインサービスで用いられるプロテクションレベル１〜５におけるオーディオビットレート毎の誤り訂正能力値を示している。
【図５】（ａ）は従来の同一アンサンブル内サービスの順送り受信時における選局所要時間を示す図であり、（ｂ）はその例においてプロテクションレベルＰ＝２以上が受信できる時の、実際受信できるサービスを示す図である。
【発明を実施するための形態】
【００２８】
本発明は、同一アンサンブル内で受信しようとする番組を、順送りキー等によって順にサーチする時、シーク時間を短くし、処理負担を軽減するこという目的を、同一アンサンブル内のサービス毎のプロテクションレベルを示すコードレートを記憶するアンサンブル内サービス毎コードレート記憶部と、同一アンサンブル内で受信するービスを順送り指示する受信サービス順送り指示部と、受信処理を行うか否かの判断を行う時に基準となるプロテクションレベルを示すコードレートを、更新して記憶する受信判断用コードレート記憶部と、前記受信判断用コードレート値記憶部に記憶されているコードレート値と、前記順送り指示部で指示したサービスについて、前記アンサンブル内サービス毎コードレート記憶部に記憶しているコードレートとを比較するコードレート比較部とを備え、順に指示されたサービスについて、前記アンサンブル内サービス毎コードレート記憶部のデータと、前記コードレート比較部での比較結果により、指示されたサービスの受信処理を行うか否かを判別する受信可非判別部とを備えることにより実現した。
【実施例１】
【００２９】
本発明の実施例を図面に沿って説明する。図１（ａ）は本発明のデジタル放送受信機において、主として順送り指示サービス受信の可否を判別する処理を行う機能を中心に示した機能ブロック図であり、特に受信可否の判別の基準の例を同図（ｂ）に示している。同図において、デジタル放送受信部１ではアンテナからデジタル放送を受信し、従来と同様に受信データ再生処理部２でオーディオデータ等の再生処理を行い、主としてスピーカから出力している。
【００３０】
このデジタル放送を受信するため、受信アンサンブル選択指示部８では特定のアンサンブルを選択指示して受信を行う。また受信サービス指示部７では、デジタル放送においては一つのアンサンブルに多数のサービスが存在するので、その中のいずれかのサービスを選択して受信を指示する。その際には、後述する順送り指示サービス受信可非判別処理部１０の処理結果も加味して、受信サービスの指示を行う。
【００３１】
受信サービス順送り指示操作部では、前記のようなサービスの一般的な受信時において、受信サービスを順送りキー等により順に指示できるようにするために指示操作を行う機構を備えている。その際には、前記順送り指示サービス受信可非判別処理部１０の処理結果により、特定のサービスの受信を飛ばす、等の処理を行う。受信サービス順送り指示部５では、前記のような順送り指示操作部６の操作によって、デジタル放送受信部１へ順送り指示を行い、また、後述する順送り指示サービス受信可否判別部１０への指示信号として出力する。
【００３２】
コードレート取得部３では、デジタル放送受信部１で特定のアンサンブルの受信を行った時、そのアンサンブルに含まれる各サービスの誤り訂正能力であるコードレートを取得し、順送り指示サービス受信可非判別処理部１０に出力する。また、サービス受信検出部４では、前記受信サービス指示部７で指示したサービスが受信されたか否かを検出可能としている。
【００３３】
順送り指示サービス受信可否判別処理部１０においては、アンサンブル内サービス毎コードレート記憶部１１を備えている。なお、ここで「サービス毎コードレート」は「サービス毎の誤り訂正能力の受信レベル」を示すので、「サービス内受信レベル記憶部」ということもできる。コードレート値比較部１２では、後述する受信判断用コードレート値記憶部１３で記憶したコードレート値と、これから受信しようとしているサービスのコードレート値を、サービス内受信レベル記憶部１１に記憶してから読み出して比較する。
【００３４】
受信判断用コードレート値記憶部１３は、受信を行うか否かの判断の基準となるコードレート値を記憶する部分であり、この中には受信不能レベル記憶部１４を備え、本発明の実施例ではこの受信不能レベル記憶部１４を用いた各種処理の例を示している。しかしながら、受信可能レベル記憶部１５を用い、またそれらを併用することにより、より複雑なコードレートに対応することもできる。なお、受信判断用コードレート値記憶部１３はユーザにより受信するアンサンブルが変更されたとき初期化される。また、図示しない初期化キーを操作することにより初期化するようにしても良い。
【００３５】
受信可非判別部１６では、上記のような各種処理を行った結果、次のサービスを順送りで受信するか、それとも受信することなく飛ばしてその次のサービスを受信する検討を行うか、の判別を行う。図示の受信可非判別部１６では、受信不能レベル記憶部１４等の受信レベル記憶部の値を利用した判別を行う受信レベル記憶部利用判別部１７と、その受信レベル記憶部の値を特に利用することがない、特異的な受信レベルについて対応する、特異的受信レベル対応判別部１８とを備えた例を示している。
【００３６】
図１（ａ）に示す受信可非判別部１６の判別処理については図２で詳述するが、図１（ｂ）には各判別部の代表的処理例を示しており、受信レベル記憶部利用判別部では、
ａ．更新している受信不能レベル記憶部の記憶レベル以下のレベルを受信しない。
ｂ．受信不能レベル記憶部の記憶レベルより１ランク上のレベルを受信した時は、以降はそのレベル上のみを受信する。
また、特異的受信レベル対応判別部では、
ｃ．最下位レベルの受信を検出した時には、以降は全てを受信する。
ｄ．最上位レベルの受信指示では、全て受信処理する。
ｅ．最上位レベルより１ランク下のレベルの受信不能検出時には、以降は最上位レベルのみ受信する。
ｆ．最下位レベルの受信不能検出時には、以降は全て受信しない。
という例を挙げている。
【００３７】
図２には前記実施例の作動フロー図を示している。即ち図２に示す順送り指示操作による同一アンサンブル内サービス受信処理においては、最初デジタル放送の特定アンサンブルを受信し（ステップＳ１）、次いで受信アンサンブル内のサービス毎のコードレートを取得して記憶する（ステップＳ２）。
【００３８】
この処理は図１（ａ）の特定アンサンブル選択指示部８で、デジタル放送受信部１に対して特定のアンサンブルを選択して受信する指示を行い、コードレート取得部３でそのアンサンブル内の全てのサービスについて、特に図４（ａ）に示す高速情報チャネル（ＦＩＣ）からコードレートを得ることができる。このＦＩＣはコードレート１の最上位のレベルであるので、全てのサービスについてコードレートのデータを取得することができ、これを図１のアンサンブル内サービス毎コードレート記憶部１１に記憶することにより行う。
【００３９】
その後利用者による受信サービスの順送り指示操作が行われ（ステップＳ３）、指示したサービスのコードレートの読み出しを行う（ステップＳ４）。次いで指示されたサービスのコードレートは受信不能レベル記憶部１４に記憶したレベル以下か否かを判別する（ステップＳ５）。受信サービスの順送り指示の一番最初においてはここに記憶しているデータは存在しないので、最初は否と判別し、ステップＳ６に進んで指示したサービスの受信処理を行う。したがって、受信サービスの順送り指示の一番最初のサービスについては常に受信処理を行うこととなる。
【００４０】
なお、後述する以降の作動が継続し、受信不能レベル記憶部１４にデータが記憶された時において、このステップＳ５の判別が行われる時、指示されたサービスのコードレートは受信不能レベル記憶部１４に記憶したレベル以下である、と判別した時にはステップＳ２０に進み、次のサービスを受信せず、利用者による受信サービスの順送り指示操作が行われ、次のサービスに対する処理がなされるという、本発明における基本的な作動を行う。この作動は図１（ｂ）の受信レベル記憶部利用判別部１７におけるａ．の、更新している受信不能レベル記憶部１４の記憶レベル以下のレベルは受信しない処理に相当する。
【００４１】
ステップＳ６で指示したサービスの実際の受信処理を行った後は、指示したサービスは受信できたか否かを判別する（ステップＳ７）。この判別において受信できなかったと判別した時には、受信できなかったサービスのコードレートは、最上位レベルより１ランク下か否かを判別する（ステップＳ８）。その判別の結果、受信できなかったサービスのコードレートは、最上位レベルより１ランク下であると判別した時には、受信不能レベル記憶部１４の記憶値を最上位より１ランク下に確定し（ステップＳ１３）、以降は最上位レベルのコードレートのサービスのみを選択して受信することとする（ステップＳ１４）。
【００４２】
この受信可非判別は、図１（ｂ）の特異的受信レベル対応判別部１８において（ｅ．）の、最上位レベルより１ランク下のレベルの受信不能検出時には、以降は最上位レベルのみ受信する判別に対応する。
【００４３】
ステップＳ８で、受信できなかったサービスのコードレートは、最上位レベルより１ランク下か否かの判別で否と判別した時には、受信できなかったサービスのコードレートは、最下位レベルか否かを判別する（ステップＳ９）。この判別で、受信できなかったサービスのコードレートが最下位レベルであると判別した時には、このアンサンブルの受信では最下位レベルも受信できないことがわかったので、以降はこのアンサンブル内の全てのサービスの受信を行わない（ステップＳ１２）。なおこの判別は、図１（ｂ）の特異的受信レベル対応判別部１８におけるｆ．の、最下位レベルの受信不能検出時には、以降は全て受信しない、に相当する。
【００４４】
ステップＳ９で受信できなかったサービスのコードレートが最下位ではない、と判別した時には、受信できなかったサービスのコードレートは受信不能レベル記憶部１４のレベルより高いか否かを判別する（ステップＳ１０）。この処理は前記ステップＳ７で指示したサービスは受信できたか否かにおいて、受信できなかった時の基本的な処理であり、ここで受信不能レベル記憶部１４のレベルより高くはない、即ちそのレベルと等しいかそれよりもレベルが低い時には、このサービスは当然受信不能であるので、ステップＳ３に戻って、次のサービスの順送り指示を行う。
【００４５】
また、ステップＳ１０で、受信できなかったサービスのコードレートは受信不能レベル記憶部１４のレベルより高いと判別した時には、先に記憶していた受信不能レベル記憶部１４のレベルよりも高いレベルでさえも受信できないことがわかったので、そのコードレートを受信不能レベル記憶部１４に更新して記憶する。その後ステップＳ３に戻って次のサービスの順送り指示操作を行う。
【００４６】
前記ステップＳ７において、指示したサービスは受信できたと判別した時には、受信できたサービスのコードレートは最下位レベルか否かを判別し、最下位レベルであると判別した時には、ステップＳ１９に進んで、以降は全てのサービスを受信する。即ち、ここでこのサービスの最下位レベルでさえも受信できることがわかったので、それ以降の処理を行う必要なく、全てを受信することとする。なおこの処理は図１（ｂ）の特異的受信レベル対応判別部１８における（ｃ．）の、最下位レベルの受信を検出した時には、以降は全てを受信する処理に対応する。
【００４７】
ステップＳ１５で、受信できたサービスのコードレートは最下位レベルではないと判別した時には、記憶した受信不能レベルより１ランク上か否かを判別し（ステップＳ１６）、そうではないと判別した時にはステップＳ３に戻って次のサービスの順送り指示操作を行う。またステップＳ１６で記憶した受信不能レベルより１ランク上であると判別した時には、前回受信処理して受信できなかったサービスのコードレートを受信最低レベルとして確定し（ステップＳ１７）、以降は確定受信不能レベルより上のサービスのみを受信する。
【００４８】
即ち、先に受信できなかったとして記憶したレベルより１ランク上のレベルで受信できたことを検出した時には、そのレベルの部分に受信可能と不能の境界が存在することがわかったので、前記の処理を行う。なおこの処理は、図１（ｂ）の受信レベル記憶部利用判別部１７の（ｂ．）における、受信不能レベル記憶部１４の記憶レベルより１ランク上のレベルを受信した時は、以降はそのレベル以上のみを受信する処理に対応する。
【００４９】
本発明の前記実施例においては上記のような作動を行うことにより、例えば前記図５に示す従来例に対応して例を示している図３の本発明の選局方式の例のように、最初のサービスは受信することによって、プロテクションレベルＰ−３のサービスＡを受信し、このとき受信処理結果が受信不能であった時、以降は図中「最初のサービス受信で予測される各サービスの受信可否」として示すように、プロテクションレベルＰ−４のサービスＢは受信不能と予測され、同様にＰ＝２のサービスＣはこの時点では受信の可否は不明であり、Ｐ−３のサービスＤは前記受信不能のサービスＡと同一のプロテクションレベルであるので受信不能と予測される。
【００５０】
また、Ｐ＝５のサービスＥはサービスＤと同様の理由により受信不能と予測され、Ｐ−１の最上位レベルのプロテクションレベルであるサービスＦは、このアンサンブルのＦＩＣのデータを読み出すことができているので、ＦＩＣのコードレートは１であることにより、本来は必ず受信できるものとして受信可能と予測される。更にＰ−４のサービスＧも前記サービスＤと同様に、受信不能であると予測される。それにより図３（ａ）に示すように、最初のサービスＡを受信処理した結果重心不能であることがわかった後は、サービスＢを受信することなくサービスＣを受信することとなる。
【００５１】
ここでプロテクションレベルＰ＝２のサービスＣを受信した結果、同図（ｂ）に示すように受信不能であった時には、その後はこのサービスの最上位から１ランク下のＰ−２が受信できないことがわかったので、結局このアンサンブルにおいてはＰ＝１のサービスしか受信できないことがわかり、サービスＦの受信処理を行うこととなる。この処理の結果、サービスＤ、サービスＥ、サービスＧは実際の順送り指示もなされず、受信処理がなされることがない。その結果、これらの受信処理所要時間は３００ｍｓ（０．３ｓ）となり、従来の０．６ｓよりも充分短時間で同一アンサンブル内での順送りサービス受信が可能となり、処理負担も少なくなる。なお、これらの処理は図２の作動フローの一部によって実施することができ、図２の作動フローは更に複雑なプロテクションレベルにも対応可能としている。
【符号の説明】
【００５２】
１  デジタル放送受信部
２  受信データ再生処理部
３  コードレート取得部
４  サービス受信検出部
５  受信サービス順送り指示部
６  受信サービス順送り指示操作部
７  受信サービス指示部
８  受信アンサンブル選択指示部
１０  順送り指示サーチ受信可非判別処理部
１１  アンサンブル内サービス毎コードレート記憶部
１２  コードレート値比較部
１３  受信判断用コードレート値記憶部
１４  受信不能レベル記憶部
１５  受信可能レベル記憶部
１６  受信可非判別部
１７  受信レベル記憶部利用判別部
１８  特異的受信レベル対応判別部
【図１】
2010166455.tif 000003
【図２】
2010166455.tif 000004
【図３】
2010166455.tif 000005
【図４】
2010166455.tif 000006
【図５】
2010166455.tif 000007